(57)【要約】【課題】  配信された有料のコンテンツを視聴する際のケーブルの接続等の負担の軽減と、コンテンツの再生の制御とを行う。【解決手段】  放送局１０４が配信したコンテンツに施されたスクランブル処理を解除する暗号化されたスクランブル鍵を復号する復号鍵を、管理サーバ１０３が携帯電話機１０１に送信する。携帯電話機１０１は、復号鍵を記憶してから、デコーダ１０６に無線で送信する。携帯電話機１０１は、復号鍵を送信すると無効化する。デコーダ１０６は、受信した復号鍵で暗号化されたスクランブル鍵を復号し、復号したスクランブル鍵でコンテンツに施されたスクランブル処理を解除する。【選択図】  図１
2006319543.tif 000002
【特許請求の範囲】
【請求項１】
スクランブル処理が施されたコンテンツおよびスクランブル処理を解除するための暗号化されたスクランブル鍵を送信する送信装置からコンテンツおよびスクランブル鍵を受信する受信手段と、受信手段が受信した暗号化されたスクランブル鍵を復号するスクランブル鍵復号手段と、スクランブル鍵復号手段が復号したスクランブル鍵を用いて、コンテンツに施されたスクランブル処理を解除するデコード手段とを含むコンテンツ再生システムにおいて、
暗号化されたスクランブル鍵を復号するための復号鍵を、ユーザの情報およびコンテンツの配信の管理を行う管理サーバから受信する通信端末を含み、
前記スクランブル鍵復号手段は、前記通信端末が受信した復号鍵を用いて、暗号化されたスクランブル鍵を復号し、
前記スクランブル鍵復号手段による復号鍵の使用を不能にする処理を行う復号鍵無効化手段を含む
ことを特徴とするコンテンツ再生システム。
【請求項２】
復号鍵無効化手段は、通信端末が復号鍵をスクランブル鍵復号手段に送信すると、その復号鍵を消去する
請求項１記載のコンテンツ再生システム。
【請求項３】
復号鍵無効化手段は、通信端末が復号鍵をスクランブル鍵復号手段に送信すると、記憶している前記復号鍵を無効にする
請求項１記載のコンテンツ再生システム。
【請求項４】
通信端末は、復号鍵をスクランブル鍵復号手段に無線伝送路を介して送信する
請求項１から請求項３のうちいずれか１項記載のコンテンツ再生システム。
【請求項５】
スクランブル鍵復号手段は、無線伝送路を介して、通信端末が記憶している復号鍵を読み出す
請求項４記載のコンテンツ再生システム。
【請求項６】
スクランブル処理が施されたコンテンツは、ペイパービュー方式で課金されるコンテンツである
請求項１から請求項５のうちいずれか１項記載のコンテンツ再生システム。
【請求項７】
スクランブル処理が施されたコンテンツおよびスクランブル処理を解除するための暗号化されたスクランブル鍵を送信する送信装置からコンテンツおよびスクランブル鍵を受信してコンテンツに施されたスクランブル処理をスクランブル鍵を用いて解除するデコード装置と通信可能な携帯端末であって、
暗号化されたスクランブル鍵を復号する復号鍵を送信する管理サーバから受信した復号鍵を送信する復号鍵送信手段と、
前記デコード装置による復号鍵の使用を不能にする処理を行う復号鍵無効化手段と
を備えたことを特徴とする携帯端末。
【請求項８】
復号鍵無効化手段は、復号鍵をデコード装置に送信すると、その復号鍵を消去する
請求項７記載の携帯端末。
【請求項９】
復号鍵無効化手段は、復号鍵をデコード装置に送信すると、記憶している前記復号鍵を無効にする
請求項７記載の携帯端末。
【請求項１０】
復号鍵送信手段は、無線伝送路を介してデコード装置に復号鍵を送信する
請求項８または請求項９記載の携帯端末。
【請求項１１】
スクランブル処理が施されたコンテンツおよびスクランブル処理を解除するための暗号化されたスクランブル鍵を送信する送信装置からコンテンツおよびスクランブル鍵を受信し、
暗号化されたスクランブル鍵を復号するための復号鍵を、ユーザの情報およびコンテンツの管理を行う管理サーバから受信し、
受信した復号鍵を用いて、暗号化されたスクランブル鍵を復号し、
復号したスクランブル鍵を用いて、コンテンツに施されたスクランブル処理を解除した後、その復号鍵の使用を不能にする処理を行う
ことを特徴とするコンテンツ再生方法。
【請求項１２】
スクランブル処理が施されたコンテンツおよびスクランブル処理を解除するための暗号化されたスクランブル鍵を送信する送信装置からコンテンツおよびスクランブル鍵を受信してコンテンツに施されたスクランブル処理をスクランブル鍵を用いて解除するデコード装置と通信可能な携帯端末に搭載されるコンテンツ再生管理プログラムであって、
コンピュータに、
暗号化されたスクランブル鍵を復号する復号鍵を送信する処理と、
前記デコード装置による復号鍵の使用を不能にする処理と
を実行させるためのコンテンツ再生管理プログラム。
【発明の詳細な説明】
【技術分野】
【０００１】
本発明は、配信された有料コンテンツの再生を行うコンテンツ再生システム、携帯端末、コンテンツ再生方法、およびコンテンツ再生管理プログラムに関する。
【背景技術】
【０００２】
通信衛星や、放送衛星、ケーブルを用いた有料放送が行われている。有料放送で配信された番組を視聴するためには、予め有料放送を受信する受信機や、有料放送された番組の音声や映像を変換した信号であるベースバンド信号に施されているスクランブル処理を解除するデコーダ等の設備と、有料放送の提供事業者との契約や会員登録とが必要である。
【０００３】
図５は、一般的な有料番組放送システムの一構成例を示すブロック図である。図５の例に示す有料番組放送システムは、会員登録を行い、番組の視聴履歴等の会員情報の管理と会員のデコーダ４０５を示すデコーダＩＤの送信とを行う管理サーバ４０２、番組のベースバンド信号を放送する放送局４０３、管理サーバ４０２に情報を送信する通信手段４０１、放送局４０３が放送した番組を受信する受信機４０４、番組のベースバンド信号に施されているスクランブル処理を解除するデコーダ４０５、および番組を表示する表示装置４０６を含む。なお、デコーダ４０５には、予めデコーダ４０５を示すデコーダＩＤが付されている。
【０００４】
図６は、デコーダ４０５の一構成例を示すブロック図である。デコーダ４０５は、番組のベースバンド信号に施されているスクランブル処理を解除するデコード部５０１、番組のベースバンド信号を出力する出力インタフェース５０２、視聴した番組の履歴や、デコーダＩＤを記憶するＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）５０４、公衆電話回線に接続され、管理サーバ４０２と情報を送受信するモデム５０５、ＥＥＰＲＯＭ５０４が記憶している情報を暗号化する暗号処理部５０６、およびデコーダ４０５の各部を制御するプログラムを記憶しているＲＯＭ５０３を含む。
【０００５】
図５に示された有料番組放送システムの動作について説明する。管理サーバ４０２は、通信手段４０１から受信した会員の銀行口座番号や、会員のデコーダ４０５に付されているデコーダＩＤ等の会員情報を記憶し、会員登録を行う。なお、デコーダ４０５のモデム５０５は、会員の操作に従って、ＥＥＰＲＯＭ５０４が記憶しているデコーダＩＤを、管理サーバ４０２に公衆電話回線を介して送信することもある。放送局４０３は、スクランブル処理を施した番組のベースバンド信号と、スクランブル処理に用いられ、会員のデコーダＩＤで暗号化されたスクランブル鍵とを多重化した情報（信号）で搬送波を変調して配信する。
【０００６】
受信機４０４は、放送局４０３が配信した情報を受信すると、復調して番組のベースバンド信号と暗号化されたスクランブル鍵とをデコーダ４０５に送信する。デコーダ４０５のデコード部５０１は、暗号化されたスクランブル鍵をＥＥＰＲＯＭ５０４が記憶しているデコードＩＤで復号して、スクランブル処理に用いたスクランブル鍵を取り出す。そして、デコード部５０１は、取り出したスクランブル鍵を用いてスクランブル処理を解除し、番組のベースバンド信号を出力インタフェース５０２に出力する。番組出力インタフェース５０２は、番組のベースバンド信号を表示装置４０６に出力する。表示装置４０６は、番組を表示する。
【０００７】
また、デコード部５０１は、ベースバンド信号のスクランブル処理を解除すると、スクランブル処理を解除した番組を示す視聴履歴情報をＥＥＰＲＯＭ５０４に記憶させる。デコーダ４０５の制御手段（図示せず）は、モデム５０５に、デコード部５０１がベースバンド信号のスクランブル処理を解除するたびに、または定期的に、ＥＥＰＲＯＭ５０４が記憶している視聴履歴情報を管理サーバ４０２へ公衆電話回線を介して送信させる。
【０００８】
管理サーバ４０２は、視聴履歴情報を受信すると、視聴履歴情報が示す番組に応じた料金を、会員の銀行口座から引き落とす等して徴収する。
【０００９】
しかし、以上に述べた従来の有料番組放送システムでは、デコーダ４０５のモデム５０５を公衆電話回線に接続しなければならないため、デコーダ４０５の設置位置の自由度が低く、有料放送の番組を視聴できる場所が制限されてしまうという問題がある。
【００１０】
また、デコーダ４０５の所有者である会員が第三者にデコーダ４０５等を貸し出す等して、番組の視聴者とデコーダ４０５の所有者とが異なる場合であっても、デコーダ４０５の所有者である会員から料金が徴収されてしまう。
【００１１】
そのような問題を解消するために、番組に施されたスクランブル処理を解除する情報端末と、有料番組を配信するサーバとの情報の送受信を、携帯電話機を介して行うシステムが提案されている（例えば、特許文献１参照。）。
【００１２】
また、サービスステーションが、携帯情報端末の要求に応じて有料番組に施されたスクランブル処理を解除するスクランブル鍵を送信し、携帯情報端末は、受信したスクランブル鍵を、放送された番組を受信してスクランブル処理を解除する記録・再生装置に送信し、携帯情報端末の所有者に課金するシステムが提案されている（例えば、特許文献２参照。）。
【００１３】
【特許文献１】特開２００１−３４５７６６号公報  （段落００１６〜００５５、図１）
【特許文献２】特開２００４−２８２７７７号公報  （段落００５３〜００６１、図４）
【発明の開示】
【発明が解決しようとする課題】
【００１４】
しかし、特許文献１および特許文献２に記載されているシステムは、携帯電話機がスクランブル処理を解除するための鍵を１回受信すると、その鍵を複数回使用することが可能になり、有料で配信されたコンテンツ（番組）の再生を制御することができないという問題がある。
【００１５】
そこで、本発明は、配信された有料コンテンツに施されたスクランブル処理を解除するための鍵を繰り返し使用することができないようにすることができるコンテンツ再生システム、携帯端末、コンテンツ再生方法、およびコンテンツ再生管理プログラムを提供することを目的とする。
【課題を解決するための手段】
【００１６】
本発明によるコンテンツ再生システムは、スクランブル処理が施されたコンテンツおよびスクランブル処理を解除するための暗号化されたスクランブル鍵を送信する送信装置からコンテンツおよびスクランブル鍵を受信する受信手段と、受信手段が受信した暗号化されたスクランブル鍵を復号するスクランブル鍵復号手段と、スクランブル鍵復号手段が復号したスクランブル鍵を用いて、コンテンツに施されたスクランブル処理を解除するデコード手段とを含むコンテンツ再生システムであって、暗号化されたスクランブル鍵を復号するための復号鍵を、ユーザの情報およびコンテンツの配信の管理を行う管理サーバから受信する通信端末を含み、スクランブル鍵復号手段は、通信端末が受信した復号鍵を用いて、暗号化されたスクランブル鍵を復号し、スクランブル鍵復号手段による復号鍵の使用を不能にする処理を行う復号鍵無効化手段を含むことを特徴とする。
【００１７】
復号鍵無効化手段は、通信端末が復号鍵をスクランブル鍵復号手段に送信すると、その復号鍵を消去してもよい。
【００１８】
復号鍵無効化手段は、通信端末が復号鍵をスクランブル鍵復号手段に送信すると、記憶している復号鍵を無効にしてもよい。
【００１９】
通信端末は、復号鍵をスクランブル鍵復号手段に無線伝送路を介して送信してもよい。
【００２０】
スクランブル鍵復号手段は、無線伝送路を介して、通信端末が記憶している復号鍵を読み出してもよい。
【００２１】
スクランブル処理が施されたコンテンツは、ペイパービュー方式で課金されるコンテンツであってもよい。
【００２２】
本発明による携帯端末は、スクランブル処理が施されたコンテンツおよびスクランブル処理を解除するための暗号化されたスクランブル鍵を送信する送信装置からコンテンツおよびスクランブル鍵を受信してコンテンツに施されたスクランブル処理をスクランブル鍵を用いて解除するデコード装置と通信可能な携帯端末であって、暗号化されたスクランブル鍵を復号する復号鍵を送信する管理サーバから受信した復号鍵を送信する復号鍵送信手段と、デコード装置による復号鍵の使用を不能にする処理を行う復号鍵無効化手段とを備えたことを特徴とする。
【００２３】
復号鍵無効化手段は、復号鍵をデコード装置に送信すると、その復号鍵を消去してもよい。
【００２４】
復号鍵無効化手段は、復号鍵をデコード装置に送信すると、記憶している復号鍵を無効にしてもよい。また、復号鍵送信手段は、無線伝送路を介してデコード装置に復号鍵を送信してもよい。
【００２５】
本発明によるコンテンツ再生方法は、スクランブル処理が施されたコンテンツおよびスクランブル処理を解除するための暗号化されたスクランブル鍵を送信する送信装置からコンテンツおよびスクランブル鍵を受信し、暗号化されたスクランブル鍵を復号するための復号鍵を、ユーザの情報およびコンテンツの管理を行う管理サーバから受信し、受信した復号鍵を用いて、暗号化されたスクランブル鍵を復号し、復号したスクランブル鍵を用いて、コンテンツに施されたスクランブル処理を解除した後、その復号鍵の使用を不能にする処理を行うことを特徴とする。
【００２６】
本発明によるコンテンツ再生管理プログラムは、スクランブル処理が施されたコンテンツおよびスクランブル処理を解除するための暗号化されたスクランブル鍵を送信する送信装置からコンテンツおよびスクランブル鍵を受信してコンテンツに施されたスクランブル処理をスクランブル鍵を用いて解除するデコード装置と通信可能な携帯端末に搭載されるコンテンツ再生管理プログラムであって、コンピュータに、暗号化されたスクランブル鍵を復号する復号鍵を送信する処理と、デコード装置による復号鍵の使用を不能にする処理とを実行させることを特徴とする。
【発明の効果】
【００２７】
本発明によれば、コンテンツに施されたスクランブル処理の解除に用いた復号鍵が使用されないように処理を行って、復号鍵を繰り返し使用することができないようにすることができる。
【００２８】
特に、通信端末が復号鍵をスクランブル鍵復号手段に送信すると、復号鍵を消去したり、記憶している復号鍵を無効にしたりすることによって、スクランブル鍵復号手段に送信した復号鍵の再利用を防ぎ、コンテンツの再生を制御することができる。
【００２９】
復号鍵をスクランブル鍵復号手段に無線伝送路を介して送信したり、無線伝送路を介して通信端末が記憶している復号鍵を読み出すように構成されている場合には、通信端末とスクランブル鍵復号手段とをケーブル等で接続する必要がなくなる。
【発明を実施するための最良の形態】
【００３０】
本発明の実施の形態について、図面を参照して説明する。図１は、本発明によるコンテンツ再生システムの実施の形態の一構成例を示すブロック図である。
【００３１】
図１に示すコンテンツ再生システムは、情報を送受信する携帯電話機（通信端末、携帯端末）１０１、携帯電話通信網の基地局１０２、ユーザおよびコンテンツの情報の管理を行う管理サーバ１０３、スクランブル処理を施したコンテンツと、暗号化された、コンテンツのベースバンド信号に施されたスクランブル処理を解除するためのスクランブル鍵とを多重化した情報を配信する放送局１０４、送信装置を有する放送局１０４から情報を受信する受信機１０５、コンテンツのベースバンド信号に施されたスクランブル処理を解除するデコーダ（デコード装置）１０６、およびコンテンツを表示する表示装置１０７を含む。なお、この実施の形態の説明において、コンテンツとは、例えば、映画やテレビジョン放送の番組等の、映像と音声とで構成されたものであるものとする。
【００３２】
管理サーバ１０３は、基地局１０２を介して携帯電話機１０１からユーザを識別するユーザＩＤと、暗号化されたスクランブル鍵を復号する復号鍵の送信の要求とを受信すると、受信したユーザＩＤと予め記憶しているユーザ情報が含むユーザＩＤとが合致するか否かを判断する。管理サーバ１０３は、合致すると判断すると、再生を許可するコンテンツを示すライセンス情報と復号鍵とを基地局１０２を介して携帯電話機１０１に送信する。
【００３３】
なお、管理サーバ１０３は、ユーザＩＤとユーザに課金する料金とユーザの銀行口座とを対応づけたユーザ情報を記憶するデータベースを備える。また、復号鍵の送信の要求には、ユーザが視聴を希望するコンテンツを示すコンテンツ情報が含まれているものとする。ライセンス情報は、再生を許可するコンテンツを示し、例えば、放送チャネル、再生可能時刻、および再生期間を示す情報を含む。
【００３４】
管理サーバ１０３は、基地局１０２を介して携帯電話機１０１から受信した復号鍵の送信の要求が含むコンテンツ情報と、コンテンツにスクランブル処理を施すスクランブル鍵とを放送局１０４に送信する。なお、管理サーバ１０３は、コンテンツごとに異なるスクランブル鍵を放送局１０４に送信してもよい。
【００３５】
放送局１０４は、予めコンテンツを記憶し、スクランブル鍵を用いてコンテンツ情報が示すコンテンツのベースバンド信号にスクランブル処理を施す。そして、スクランブル処理が施されたベースバンド信号と、暗号化したスクランブル鍵とを多重化した信号で搬送波を変調し、受信機１０５に配信する。受信機１０５は、放送局１０４から受信した情報を復調し、スクランブル処理が施されたベースバンド信号と暗号化されたスクランブル鍵とをデコーダ１０６に送信する。
【００３６】
管理サーバ１０３と基地局１０２とは、例えば、公衆電話回線網によって接続される。また、管理サーバ１０３と、放送局１０４とは、例えば、専用回線等の通信回線によって接続される。
【００３７】
図２は、本発明の実施の形態における携帯電話機１０１の一構成例を示すブロック図である。携帯電話機１０１は、基地局１０２と情報を送受信するＲＦインタフェース２０１、デコーダ１０６と情報を送受信する認証インタフェース（復号鍵送信手段）２０５、プログラムを記憶するＲＯＭ２０３、ＲＯＭ２０３が記憶しているプログラムに従って処理を実行するＣＰＵ（復号鍵無効化手段）２０２、および携帯電話機１０１を識別するユーザＩＤを記憶するＥＥＰＲＯＭ２０４を含む。
【００３８】
また、認証インタフェース２０５は、再生を許可するコンテンツを示すライセンス情報と、暗号化されたスクランブル鍵を復号する復号鍵とを記憶するＥＥＰＲＯＭ２０７、アンテナ２１０を用いて、ライセンス情報と復号鍵とをデコーダ１０６に送信する無線回路２０９、および無線回路２０９の動作を制御するプログラムを記憶するＲＯＭ２０６を含む。
【００３９】
なお、ＣＰＵ２０２は、ＲＯＭ２０３が記憶しているプログラムに従って処理を実行し、携帯電話機１０１の全体を制御する。しかし、ＥＥＰＲＯＭ２０７が記憶している内容を、携帯電話機１０１が備える表示手段（図示せず）に表示させたりすることができないものとする。
【００４０】
なお、管理サーバ１０３は、ユーザＩＤを用いて復号鍵を暗号化し、基地局１０２を介して携帯電話機１０１に送信してもよい。そして、認証インタフェース２０５は、暗号化された復号鍵をユーザＩＤを用いて復号する暗号処理部２０８を含んでもよい。その場合には、ＲＯＭ２０６は、暗号処理部２０８の動作を制御するプログラムを記憶している。
【００４１】
図３は、本発明の実施の形態におけるデコーダ１０６の一構成例を示すブロック図である。デコーダ１０６は、スクランブル鍵を用いて、スクランブル処理が施されたベースバンド信号に施されたスクランブル処理を解除するデコード部（受信手段、デコード手段）３０１、表示装置１０７にベースバンド信号を出力する出力インタフェース３０２、デコード部３０１の動作を制御するプログラムを記憶するＲＯＭ３０３、および携帯電話機１０１と情報を送受信し、認証処理を行う認証手段（スクランブル鍵復号手段）３０９を含む。
【００４２】
認証手段３０９は、アンテナ３０８を用いて携帯電話機１０１と情報を送受信する無線回路３０７、無線回路３０７が携帯電話機１０１から受信したライセンス情報と復号鍵とを記憶するＥＥＰＲＯＭ３０５、受信機１０５が受信した暗号化されたスクランブル鍵を復号鍵を用いて復号する暗号処理部３０６、および暗号処理部３０６と無線回路３０７との動作を制御するプログラムを記憶するＲＯＭ３０４を含む。
【００４３】
なお、デコーダ１０６のアンテナ３０８および無線回路３０７が、ＲＦＩＤ（Ｒａｄｉｏ  Ｆｒｅｑｕｅｎｃｙ  ＩＤｅｎｔｉｆｉｃａｔｉｏｎ）リーダによって実現され、携帯電話機１０１に、ＥＥＰＲＯＭ２０７に代えてＲＦＩＤタグが搭載されてもよい。ＲＦＩＤタグが用いられる場合には、デコーダ１０６のアンテナ３０８および無線回路３０７は、デコーダ１０６からの距離が所定の範囲内にある携帯電話機１０１のＲＦＩＤタグが記憶しているライセンス情報と復号鍵とを読み取ることができる。
【００４４】
さらに、デコーダ１０６のアンテナ３０８および無線回路３０７は、ＲＦＩＤライタとしての機能を有していてもよい。ＲＦＩＤライタ機能も有している場合には、デコーダ１０６のアンテナ３０８および無線回路３０７は、デコーダ１０６からの距離が所定の範囲内にある携帯電話機１０１のＲＦＩＤタグが記憶しているライセンス情報と復号鍵とを消去したり、無効化（ＲＦＩＤタグが記憶している復号鍵とライセンス情報との内容の変更等の処理）したりすることができる。
【００４５】
また、携帯電話機１０１のアンテナ２１０および無線回路２０９は、ＲＦＩＤライタによって実現されてもよく、デコーダ１０６に、ＥＥＰＲＯＭ３０５に代えてＲＦＩＤタグが搭載されてもよい。ＲＦＩＤタグが用いられる場合には、デコーダ１０６からの距離が所定の範囲内にある携帯電話機１０１の無線回路２０９は、アンテナ２１０を用いて復号鍵とライセンス情報とをデコーダ１０６のＲＦＩＤタグに記憶させることができる。
【００４６】
携帯電話機１０１は、コンピュータに、暗号化されたスクランブル鍵を復号する復号鍵をデコーダ１０６に送信する処理と、デコーダ１０６による復号鍵の使用を不能にする処理とを実行させるためのコンテンツ再生管理プログラムを搭載している。
【００４７】
次に、本発明の実施の形態の動作について、図面を参照して説明する。図４は、コンテンツ再生システムの動作を説明するシーケンス図である。
【００４８】
携帯電話機１０１の入力手段（図示せず）が操作されて、ユーザＩＤと、コンテンツ情報を含む復号鍵の送信の要求とが入力されると（ステップＳ１０１）、携帯電話機１０１のＲＦインタフェース２０１は、基地局１０２を介して管理サーバ１０３に、ユーザＩＤと復号鍵の送信の要求とを送信する（ステップＳ１０２）。なお、ＲＦインタフェース２０１は、ＥＥＰＲＯＭ２０４が記憶しているユーザＩＤを基地局１０２を介して管理サーバ１０３に送信してもよい。
【００４９】
基地局１０２は、ユーザＩＤと復号鍵の送信の要求とを受信すると、管理サーバ１０３に送信する。管理サーバ１０３は、受信したユーザＩＤが、予め記憶しているユーザ情報が含むユーザＩＤに合致するか否かを判断する（ステップＳ１０３）。管理サーバ１０３は、合致すると判断すると、再生を許可するコンテンツを示すライセンス情報と復号鍵とを基地局１０２を介して携帯電話機１０１に送信する（ステップＳ１０４）。なお、管理サーバ１０３は、復号鍵をユーザＩＤを用いて暗号化し、基地局１０２を介して携帯電話機１０１に送信してもよい。
【００５０】
そして、管理サーバ１０３は、データベースが記憶しているユーザに課金する料金に、コンテンツに応じた所定の料金を加算する課金処理を行う。管理サーバ１０３は、課金処理の内容を、基地局１０２を介して携帯電話機１０１に送信してもよい。
【００５１】
携帯電話機１０１のＣＰＵ２０２は、ＲＦインタフェース２０１がライセンス情報と復号鍵とを受信すると、ライセンス情報と復号鍵とをＥＥＰＲＯＭ２０７に記憶させる（ステップＳ１０５）。なお、復号鍵が暗号化されている場合、暗号処理部２０８は、ＥＥＰＲＯＭ２０４が記憶しているユーザＩＤを用いて復号鍵を復号する。そして、ＣＰＵ２０２は、ライセンス情報と復号鍵とを、無線回路２０９にアンテナ２１０を用いて、デコーダ１０６に送信させる（ステップＳ１０６）。
【００５２】
デコーダ１０６の制御手段（図示せず）は、ＥＥＰＲＯＭ３０５に、アンテナ３０８を用いて無線回路３０７が受信したライセンス情報と復号鍵とを記憶させる（ステップＳ１０７）。
【００５３】
携帯電話機１０１のＣＰＵ２０２は、無線回路２０９がライセンス情報と復号鍵とをデコーダ１０６に送信すると、ＥＥＰＲＯＭ２０７が記憶しているライセンス情報と復号鍵との内容を書き換えて無効にする（ステップＳ１０８）。なお、携帯電話機１０１のＣＰＵ２０２は、無線回路２０９がライセンス情報と復号鍵とをデコーダ１０６に送信すると、ＥＥＰＲＯＭ２０７からライセンス情報と復号鍵とを消去してもよい。
【００５４】
また、デコーダ１０６の制御手段は、アンテナ３０８を用いて無線回路３０７に、携帯電話機１０１へライセンス情報と復号鍵との消去の指示を送信させてもよい。そして、携帯電話機１０１のＣＰＵ２０２は、アンテナ２１０を用いて無線回路２０９がライセンス情報と復号鍵との消去の指示を受信すると、ＥＥＰＲＯＭ２０７が記憶しているライセンス情報と復号鍵とを消去する。
【００５５】
また、管理サーバ１０３は、ステップＳ１０３で合致すると判断すると、基地局１０２を介して携帯電話機１０１から受信した復号鍵の送信の要求が含むコンテンツ情報と、コンテンツにスクランブル処理を施すスクランブル鍵とを放送局１０４に送信する（ステップＳ１０９）。放送局１０４は、スクランブル鍵を用いてコンテンツ情報が示すコンテンツにスクランブル処理を施したベースバンド信号と、暗号化したスクランブル鍵とを多重化した情報（信号）で搬送波を変調し、受信機１０５に配信する（ステップＳ１１０）。なお、スクランブル鍵は、復号鍵によって復号されることが可能であるように暗号化されたものとする。
【００５６】
受信機１０５は、放送局１０４が配信した情報を復調し（ステップＳ１１１）、ベースバンド信号と、暗号化されたスクランブル鍵とをデコーダ１０６に送信する（ステップＳ１１２）。
【００５７】
デコーダ１０６のデコード部３０１は、暗号化されたスクランブル鍵を暗号処理部３０６に出力する。暗号処理部３０６は、ＥＥＰＲＯＭ３０５が記憶している復号鍵を用いて、暗号化されたスクランブル鍵を復号する（ステップＳ１１３）。そして、暗号処理部３０６は、復号したスクランブル鍵をデコード部３０１に出力する。
【００５８】
デコード部３０１は、復号されたスクランブル鍵を用いて、ベースバンド信号に施されたスクランブル処理を解除する（ステップＳ１１４）。そして、スクランブル処理が解除されたベースバンド信号であるコンテンツを出力インタフェース３０２に出力する。
【００５９】
出力インタフェース３０２は、コンテンツを表示装置１０７に出力する（ステップＳ１１５）。表示装置１０７は、コンテンツを再生（表示）する。
【００６０】
なお、デコーダ１０６の制御手段は、ライセンス情報が示す再生可能期間が経過すると、ＥＥＰＲＯＭ３０５が記憶しているライセンス情報と復号鍵とを消去したり、無効化したりすることが好ましい。
【００６１】
ライセンス情報と復号鍵とがデコーダ１０６に送信されなかった場合について説明する。携帯電話機１０１のＣＰＵ２０２は、ライセンス情報と復号鍵とがデコーダ１０６に送信されなかった場合、ユーザの操作に従って、ＲＦインタフェース２０１に基地局１０２を介して管理サーバ１０３へ、他の復号鍵の送信の要求を送信する。なお、他の復号鍵の送信の要求には、ユーザＩＤと、ＥＥＰＲＯＭ２０７が記憶している暗号鍵を示す情報である旧暗号鍵情報と、ユーザが視聴を希望するコンテンツを示すコンテンツ情報とを含む。
【００６２】
そして、管理サーバ１０３は、受信したユーザＩＤが、予め記憶しているユーザ情報が含むユーザＩＤに合致するか否かを判断する。管理サーバ１０３は、合致すると判断すると、旧暗号鍵情報にもとづいて、デコーダ１０６に送信されなかった暗号鍵に対応するコンテンツを特定する。そして、特定したコンテンツに応じた料金と、他の復号鍵の送信の要求が含むコンテンツ情報が示すコンテンツに応じた料金との差額を算出する。管理サーバ１０３は、算出した差額の情報を基地局１０２を介して携帯電話機１０１に送信する。
【００６３】
携帯電話機１０１のＣＰＵ２０２は、ＲＦインタフェース２０１が差額の情報を受信すると、表示手段に差額を表示させ、ユーザにコンテンツの視聴を行うか否かを選択させる。コンテンツの視聴を行うことが選択されると、携帯電話機１０１のＣＰＵ２０２は、ＲＦインタフェース２０１に、基地局１０２を介して管理サーバ１０３へコンテンツの視聴を行うことを示す承認情報を送信させる。
【００６４】
管理サーバ１０３は、承認情報を受信すると、他の復号鍵の送信の要求が含むコンテンツ情報が示すコンテンツのスクランブル処理が解除されるように、復号鍵を、基地局１０２を介して携帯電話機１０１に送信する。また、管理サーバ１０３は、算出した差額に応じて、ユーザの銀行口座から料金を引き落としたり、料金を振り込んだりする。
【００６５】
以上に述べたように、この実施の形態のよれば、デコーダ１０６と管理サーバ１０３との情報の送受信を、携帯電話機１０１を介して行うため、デコーダ１０６等の設置位置の自由度を高くすることができる。
【００６６】
また、この実施の形態によれば、携帯電話機１０１とデコーダ１０６とが無線で復号鍵等の情報を送受信するため、ユーザがコンテンツを視聴する際に携帯電話機１０１とデコーダ１０６とをケーブル等で接続する必要がない。そのため、コンテンツを視聴するために携帯電話機１０１とデコーダ１０６とをケーブル等で接続する手間を省くことができる。特に、ペイパービュー方式で課金される番組等の短時間のコンテンツを視聴するために、携帯電話機１０１とデコーダ１０６とをケーブル等で接続する手間を厭うユーザであっても、手軽にコンテンツを視聴することができる。
【００６７】
さらに、この実施の形態によれば、携帯電話機１０１のユーザにコンテンツの再生に応じた課金が行われるため、病院や、ホテル、外出先等、デコーダ１０６等の所有者と、実際の視聴者とが異なる場合であっても、コンテンツの実際の視聴者である携帯電話機１０１のユーザが料金を負担してコンテンツを再生することができる。
【００６８】
また、この実施の形態によれば、携帯電話機１０１のＥＥＰＲＯＭ２０７が記憶しているライセンス情報と復号鍵とがデコーダ１０６に送信されると、ライセンス情報と復号鍵とが無効化されるため、一のライセンス情報と復号鍵とを用いて、デコーダ１０６を用いたコンテンツの複数回の再生を防ぐことができる。
【００６９】
なお、無線回路３０７は、携帯電話機１０１から受信した復号鍵を、デコード部３０１に出力してもよく、デコード部３０１が、復号鍵を用いて暗号化されたスクランブル鍵を復号してもよい。
【００７０】
なお、放送局１０４が送信するコンテンツに施すスクランブル処理を、コンテンツごとに異なるスクランブル鍵を用いて行ってもよい。コンテンツごとに異なるスクランブル鍵を用いたスクランブル処理が行われた場合には、一のスクランブル鍵を受信したデコーダ１０６が、そのスクランブル鍵に対応するコンテンツ以外のコンテンツを再生することができないようにすることができる。
【００７１】
なお、管理サーバ１０３は、ユーザに課金する料金の徴収を、ユーザが契約している携帯電話サービスの提供事業者に委託してもよい。また、管理サーバ１０３は、ユーザに課金する料金を、予めユーザが支払った金額から差し引いてもよい。すなわち、プリペイド方式でユーザから料金を徴収してもよい。
【００７２】
なお、この実施の形態では、通信端末（携帯端末）として携帯電話機を例示したが、本発明はこれに限定されるものではなくＰＨＳ（Ｐｅｒｓｏｎａｌ  Ｈａｎｄｙ  ｐｈｏｎｅ  Ｓｙｓｔｅｍ）端末等であってもよい。
【産業上の利用可能性】
【００７３】
本発明は、ペイパービュー方式で課金するコンテンツを配信するシステムや、プリペイド方式で料金を徴収したコンテンツを配信するシステムに適用することができる。また、ホテルや、病院等、デコーダの所有者とコンテンツの視聴者とが異なる施設に設置されたコンテンツを再生するシステムに適用することができる。
【図面の簡単な説明】
【００７４】
【図１】本発明によるコンテンツ再生システムの一構成例を示すブロック図である。
【図２】コンテンツ再生システムにおける携帯電話機の一構成例を示すブロック図である。
【図３】コンテンツ再生システムにおけるデコーダの一構成例を示すブロック図である。
【図４】コンテンツ再生システムの動作を説明するシーケンス図である。
【図５】一般的な有料番組放送システムの一構成例を示すブロック図である。
【図６】一般的なデコーダの一構成例を示すブロック図である。
【符号の説明】
【００７５】
１０１  携帯電話機
１０２  基地局
１０３  管理サーバ
１０４  放送局
１０５  受信機
１０６  デコーダ
１０７  表示装置
２０１  ＲＦインタフェース
２０２  ＣＰＵ
２０３、２０６、３０３、３０４  ＲＯＭ
２０４、２０７、３０５  ＥＥＰＲＯＭ
２０５  認証インタフェース
２０８、３０６  暗号処理部
２０９、３０７  無線回路
２１０、３０８  アンテナ
３０１  デコード部
３０２  出力インタフェース
３０９  認証手段
【図１】
2006319543.tif 000003
【図２】
2006319543.tif 000004
【図３】
2006319543.tif 000005
【図４】
2006319543.tif 000006
【図５】
2006319543.tif 000007
【図６】
2006319543.tif 000008